(57)【要約】【課題】結合状態での剛性に優れ、施工が容易で、鋼管であるケーブル保護管の劣化を効果的に抑制できる橋梁添架ケーブル保護管の補修用ソケットを提供する。【解決手段】一対の半割管２から構成され、半割管２は、円筒を二分割した半割筒部３の中間部外周にリブ状の突当部４が設けられた形状とされ、半割管２同士の結合に際し、半割筒部３の管軸方向へ延びる両端縁の継目部同士が継ぎ合わされる補修用ソケット１において、半割管２には、半割筒部３の両端縁の継目部のうち、一方の継目部に管軸方向へ延びる係合突条５を形成すると共に、他方の継目部に管軸方向へ延びる係合溝６を形成し、半割管２同士を突き合わせると、係合突条５が係合溝６に嵌入されて、半割筒部３同士が継ぎ合わされるものとし、突当部４は、半割筒部３と別体で半割筒部３より柔軟な弾性体から成る部分環材を、それぞれ半割筒部３の外周に接着して形成されるものとする。【選択図】図１
2016059116.tif 000002
【特許請求の範囲】
【請求項１】
橋梁に添架されるケーブル保護管の劣化部分を除去して補修する際に、管の接続に使用されるものであり、一対の半割管(2)から構成され、これらの半割管(2)は、円筒を二分割した半割筒部(3)の中間部外周にリブ状の突当部(4)が設けられた形状とされ、前記半割管(2)同士の結合に際し、半割筒部(3)の管軸方向へ延びる両端縁の継目部同士が継ぎ合わされる補修用ソケット(1)において、
前記半割管(2)には、半割筒部(3)の両端縁の継目部のうち、一方の継目部に管軸方向へ延びる係合突条(5)が形成されると共に、他方の継目部に管軸方向へ延びる係合溝(6)が形成され、前記半割管(2)同士を突き合わせると、係合突条(5)が係合溝(6)に嵌入されて、半割筒部(3)同士が継ぎ合わされ、前記突当部(4)は、半割筒部(3)と別体で半割筒部(3)より柔軟な弾性体を材料とする部分環材から成り、これらをそれぞれ半割筒部(3)の外周に接着して形成されることを特徴とする補修用ソケット。
【発明の詳細な説明】
【技術分野】
【０００１】
この発明は、通信ケーブル等のケーブルが挿通されて橋梁に添架されるケーブル保護管の補修用ソケットに関するものである。
【背景技術】
【０００２】
一般に、通信ケーブル等のケーブルを橋梁に沿って添架する場合、ケーブルをケーブル保護管に挿通して保護している。このようなケーブル保護管としては、鋼管が多用されているが、ケーブル保護管は、風雨や温度変化に曝されるほか、自重や外力の作用を受けるので、時間の経過に伴い、腐食や割れ等の劣化が進行する。特に、橋台等の支持部分に近い部分は、自重や外力による応力が集中しやすく、劣化が進行しやすい。
【０００３】
ケーブル保護管の劣化が進行した部分は、保守作業時に切除されて、円筒を二分割した半割り鋼管等の補修管材に取り替えられるが、鋼製の補修管材は、やはり腐食しやすく、重さに起因して施工に伴う負担も大きいため、下記特許文献１において、軽量で腐食しない繊維強化プラスチック（ＦＲＰ）製の補修管材が提案されている。
【０００４】
図５に示すように、この補修管材５１は、ＦＲＰ製のソケット５２、補修管５３及び接続管５４から成り、これらは、円管状の部材を周方向に二つ割りにした一対の半割管５２ａ，５３ａ，５４ａから構成される。部材を二つ割りとするのは、ケーブルＣを切断することなく、補修を行うためである。
【０００５】
ソケット５２の半割管５２ａは、円筒を二分割した半割筒部５５の長さ方向における中間部外周にリブ状の突当部５６を設けた形状とされ、半割筒部５５の管軸方向へ延びる両端縁の平坦な継目部には、外周寄りに止水ゴム５７が接着固設されている。
【０００６】
この補修管材５１による補修作業においては、まず、ケーブルＣが挿通されたケーブル保護管３０のうち、支持点である橋台Ａの壁面近くの腐食が進行して劣化した部分を切断し除去する。
【０００７】
次に、ソケット５２の一対の半割管５２ａでケーブルＣを抱き囲むように、半割筒部５５同士を突き合わせ、半割筒部５５の継目部同士を当接させて接着剤により接着し、橋台Ａ内に埋め込まれている既設のケーブル保護管３０の内部に、半割筒部５５同士が継ぎ合わされた円筒部を一端側から差し込み、橋台Ａの外壁面と面一となったケーブル保護管３０の端面に突当部５６を当接させる。
【０００８】
そして、ソケット５２の突当部５６から他端側へ延びる円筒部をなす半割筒部５５と、橋台Ａとは反対側に位置する既設の空中のケーブル保護管３０の端面とに亘って、補修管５３の一対の半割管５３ａを、ケーブルＣを覆うように組み付ける。このとき、補修管５３の半割管５３ａは、一端がソケット５２の突当部５６に当接し、他端が既設の空中のケーブル保護管３０の端面に当接して、位置決めされる。
【０００９】
最後に、橋台Ａとは反対側において、補修管５３の端部と既設のケーブル保護管３０の端部とを、接続管５４の一対の半割管５４ａで抱持し、少なくとも、ソケット５２と補修管５３の一端部の重なる部分の外周と、補修管５３の他端部と接続管５４の一端部の重なる部分の外周と、接続管５４の他端部と既設の空中のケーブル保護管３０の重なる部分の外周に、ステンレスバンド等の締付具（図示省略）を巻き付け、これらの管材を締付具で締め付けて、補修管材５１と既設のケーブル保護管３０とを一体化する。
【先行技術文献】
【特許文献】
【００１０】
【特許文献１】特開２００６−１９１７１７号公報
【発明の概要】
【発明が解決しようとする課題】
【００１１】
しかしながら、上記特許文献１に記載されたソケット５２では、半割管５２ａの半割筒部５５同士が平坦な継目部で面接触しているだけなので、結合状態での剛性が低く、施工もしにくいという問題がある。
【００１２】
また、突当部５６が半割筒部５５と共に比較的硬質のＦＲＰ製とされているため、突当部５６に接触するケーブル保護管３０の端部表面等に傷が付く恐れもある。
【００１３】
そこで、この発明は、結合状態での剛性に優れ、施工が容易で、鋼管であるケーブル保護管の劣化を効果的に抑制できる補修用ソケットを提供することを課題とする。
【課題を解決するための手段】
【００１４】
上記のような課題を解決するため、この発明は、橋梁に添架されるケーブル保護管の劣化部分を除去して補修する際に、管の接続に使用されるものであり、一対の半割管から構成され、これらの半割管は、円筒を二分割した半割筒部の中間部外周にリブ状の突当部が設けられた形状とされ、前記半割管同士の結合に際し、半割筒部の管軸方向へ延びる両端縁の継目部同士が継ぎ合わされる補修用ソケットにおいて、前記半割管には、半割筒部の両端縁の継目部のうち、一方の継目部に管軸方向へ延びる係合突条が形成されると共に、他方の継目部に管軸方向へ延びる係合溝が形成され、前記半割管同士を突き合わせると、係合突条が係合溝に嵌入されて、半割筒部同士が継ぎ合わされ、前記突当部は、半割筒部と別体で半割筒部より柔軟な弾性体を材料とする部分環材から成り、これらをそれぞれ半割筒部の外周に接着して形成されるものとしたのである。
【発明の効果】
【００１５】
この補修用ソケットでは、半割管同士の結合状態において、係合突条と係合溝とが係合するので、曲げ荷重等に対する剛性が高くなり、施工性も向上する。
【００１６】
また、突当部が半割筒部とは別体の柔軟な弾性体から成ることから、突当部に接触するケーブル保護管の端部表面等の傷付きが防止される。
【図面の簡単な説明】
【００１７】
【図１】この発明の実施形態に係る補修用ソケットを使用した（ａ）施工状態を示す斜視図、（ｂ）（ａ）のｂ−ｂ線における半割管の結合状態を示す断面図
【図２】同上のソケットを使用した補修管材の分解状態を示す斜視図
【図３】同上のソケットの半割管の分離状態を示す斜視図
【図４】同上のソケットの（ａ）構成部材を分離して示す断面図、（ｂ）係合突条の部分を示す（ａ）のＡ部詳細図、（ｃ）係合溝の部分を示す（ａ）のＢ部詳細図
【図５】従来の補修管材の（ａ）分解状態を示す斜視図、（ｂ）ソケットの半割管の分離状態を示す側面図
【発明を実施するための形態】
【００１８】
以下、この発明の実施形態を添付図面に基づいて説明する。
【００１９】
図１に示すように、このソケット１は、橋梁に添って架設されるケーブル保護管３０の補修用のものであり、図３及び図４に示すように、一対の半割管２から構成される。半割管２は、円筒を二分割した半割筒部３と、これとは別体で、その長さ方向の中間部外周に接着されてリブ状をなす半円環材の突当部４とから構成される。半割筒部３は、ＦＲＰ製であり、突当部４は、半割筒部３より柔軟な弾性体であるゴム製とされている。
【００２０】
半割管２同士の結合に際しては、半割筒部３の管軸方向へ延びる両端縁の継目部同士が継ぎ合わされ、それぞれの半割筒部３の両端縁の継目部のうち、一方の継目部には、管軸方向へ延びる係合突条５が形成され、他方の継目部には、管軸方向へ延びる係合溝６が形成されて、一対の半割管２は対称な形状となっている。
【００２１】
半割筒部３の継目部において、係合突条５は、断面形状が根元側から先端側へかけて幅が狭くなる山型のテーパー状とされ、係合溝６は、断面形状が底側から開口側へかけて幅が広くなるＶ溝型のテーパー状とされている。
【００２２】
また、半割筒部３のそれぞれの継目部には、係合突条５及び係合溝６の内周側及び外周側に、半割筒部３同士を突き合わせた際、互いに当接する段部７が形成されている。
【００２３】
このようなソケット１では、半割管２同士の結合に際し、半割筒部３同士を突き合わせると、係合突条５が係合溝６に嵌入されて、継ぎ合わされた半割筒部３により円筒部が形成されると共に、突当部４により円環部が形成される。
【００２４】
このとき、係合突条５及び係合溝６の断面形状がテーパー状となっていることから、係合突条５は、係合溝６に誘導されるように挿入されるので、施工性が損なわれることがなく、段部７同士の当接により、係合突条５の係合溝６への挿入深さが一定となって、半割管２同士の結合状態が安定する。
【００２５】
上記のようなソケット１を２個使用して、図１に示すように、橋梁に添架されてケーブルＣが挿通されたケーブル保護管３０を補修する際には、橋台Ａ内に埋め込まれている既設のケーブル保護管３０と、劣化部分の切除に伴い空中に残存した既設のケーブル保護管３０とを、一対の半割管５３ａから構成される補修管５３を介して接続する。
【００２６】
この補修作業に際しては、図２に示すように、まず、橋梁に添って延びるケーブル保護管３０のうち、橋台Ａの壁面近くの劣化した部分を切断し除去する。
【００２７】
次に、橋台Ａ寄りで露出したケーブルＣを、１個目のソケット１の一対の半割管２で左右から抱き囲むように、半割筒部３同士を突き合わせ、係合突条５と係合溝６とを係合させる。そして、半割筒部３が継ぎ合わされた円筒部を、橋台Ａ内に埋め込まれている既設のケーブル保護管３０の内部に一端側から差し込み、橋台Ａの外壁面と面一となったケーブル保護管３０の端面に突当部４を当接させる。
【００２８】
また、橋台Ａとは反対側に位置する既設の空中のケーブル保護管３０寄りで露出したケーブルＣを、２個目のソケット１の一対の半割管２で左右から抱き囲むように、半割筒部３同士を突き合わせ、係合突条５と係合溝６とを係合させる。そして、半割筒部３が継ぎ合わされた円筒部を、既設の空中のケーブル保護管３０の内部に一端側から差し込み、このケーブル保護管３０の端面に突当部４を当接させる。
【００２９】
続いて、橋台Ａに埋設された既存のケーブル保護管３０側のソケット１と空中の既存のケーブル保護管３０側のソケット１とに亘り、補修管５３の一対の半割管５３ａを、突当部４を介しソケット１の他端側の部分で、それぞれの半割筒部３が継ぎ合わされた円筒部を上方及び下方から抱持して、ケーブルＣを覆うように組み付け、半割管５３ａの両端をそれぞれのソケット１の突当部４に当接させ、管軸方向に位置決めする。
【００３０】
最後に、両側のソケット１の間の部分で、補修管５３の外周にステンレスバンド等の締付具２０を巻き付け、半割管５３ａ同士を締付具で締め付けて、既設のケーブル保護管３０と補修管５３とを、ソケット１を介して一体化する。
【００３１】
上記のようなケーブル保護管３０の補修用のソケット１では、半割管２同士の結合状態において、係合突条５と係合溝６とが係合するので、曲げ荷重等に対する剛性が高くなるほか、施工性が向上する。
【００３２】
また、突当部４が半割筒部３とは別体の柔軟な弾性体から成ることから、突当部４に接触するケーブル保護管３０の端部表面等の傷付きが防止される。
【００３３】
なお、上記実施形態では、突当部４が半円環材のものを例示したが、突当部４は、半割管２の周方向にさらに細かく分割された部分環材としてもよい。また、突当部４は、必ずしもソケット１の全周に連続的に設けられていなくてもよい。
【符号の説明】
【００３４】
１  ソケット
２  半割管
３  半割筒部
４  突当部
５  係合突条
６  係合溝
７  段部
２０  締付具
３０  ケーブル保護管
５３  補修管
５３ａ  半割管
Ａ  橋台
Ｃ  ケーブル
【図１】
2016059116.tif 000003
【図２】
2016059116.tif 000004
【図３】
2016059116.tif 000005
【図４】
2016059116.tif 000006
【図５】
2016059116.tif 000007